(57)【特許請求の範囲】
【請求項１】
複数の緯糸と複数の経糸とが交互に交差するとともに、これら緯糸と縦糸とのいずれか一方とＸ線造影糸とが交互に交差して平織りされたガーゼ本体をボール状に折り畳んで成形したガーゼボールであって、
ボール状のガーゼボール本体と、
前記ガーゼ本体の折り畳みにより前記ガーゼボール本体の上部に沿って形成された折り畳み帯状凸部とを具備し、
前記Ｘ線造影糸は、両端部が略等しい高さに配設され、正面視で前記ガーゼボール本体の横方向に配設され、かつ、仮想多等分線により上下に略多等分された前記ガーゼボール本体の最上方部分に配設されている
ことを特徴としたガーゼボール。
【請求項２】
Ｘ線造影糸は、仮想二等分線により上下に略二等分されたガーゼボール本体の上方部分に配設されている
ことを特徴とした請求項１記載のガーゼボール。
【請求項３】
Ｘ線造影糸は、仮想三等分線により上下に略三等分されたガーゼボール本体の最上方部分に配設されている
ことを特徴とした請求項１記載のガーゼボール。
【請求項４】
Ｘ線造影糸は、外部に露出せずにガーゼボール本体の内部に収容されている
ことを特徴とした請求項１ないし３いずれか一記載のガーゼボール。
【請求項５】
Ｘ線造影糸は、折り畳み帯状凸部に配設されている
ことを特徴とした請求項１ないし４いずれか一記載のガーゼボール。
【請求項６】
複数の緯糸と複数の経糸とが交互に交差するとともに、これら緯糸と縦糸とのいずれか一方とＸ線造影糸とが交互に交差して平織りされた四角形状のガーゼ本体をボール状に折り畳んで成形されたボール状のガーゼボール本体と、前記ガーゼ本体の折り畳みにより前記ガーゼボール本体の上部に沿って形成された折り畳み帯状凸部とを具備し、前記Ｘ線造影糸は、両端部が略等しい高さに配設され、正面視で前記ガーゼボール本体の横方向に配設され、かつ、仮想多等分線により上下に略多等分された前記ガーゼボール本体の最上方部分に配設されているガーゼボールの製造方法であって、
前記ガーゼ本体を、前記Ｘ線造影糸に平行な中心線に沿って二つ折りして長方形状とする二つ折り工程と、
この二つ折りしたガーゼ本体の前記中心線側の部分を複数の山折り線により丸めるように順次折り畳むことにより折り畳み部を有する帯状とする折り畳み工程と、
この帯状としたガーゼ本体を、前記Ｘ線造影糸が位置している面を上向きとして両端を絡めて縛ることにより、絡み合わせ部、および、この絡み合わせ部からそれぞれ突出する突出端部を形成する縛り工程と、
前記絡み合わせ部の袋状の中央部に、この絡み合わせ部とともに前記各突出端部をそれぞれ繰り込む繰り込み工程と、
前記中央部を包み込むように前記折り畳み部を捲り返すことによりガーゼボール本体の外面部分を露出させ、さらに前記折り畳み部をＸ線造影糸の近傍まで折り返して折り畳み帯状凸部とする捲り返し工程とを有している
ことを特徴としたガーゼボールの製造方法。
【請求項７】
ガーゼ本体は、一辺からＸ線造影糸までの距離をL1とし、一辺の長さをL2としたとき、前記Ｘ線造影糸がL1/L2＝２５〜４５％の範囲に折り込まれ、
前記Ｘ線造影糸を、仮想三等分線により上下に略三等分された前記ガーゼボール本体の最上方部分と前記折り畳み帯状凸部とのいずれか一方に配設する
ことを特徴とした請求項６記載のガーゼボールの製造方法。
【発明の詳細な説明】
【技術分野】
【０００１】
本発明は、例えば外科手術の際に組織を剥離したり、血液や体液を吸収したりするために使用するガーゼボールおよびその製造方法に関する。
【背景技術】
【０００２】
従来、外科手術において、血液や体液の吸収、さらには体内組織の剥離を目的として、手術用ガーゼを丸めて使用したり、あるいは予め球状に形成したガーゼボールが使用されたりしている。
【０００３】
このようなガーゼボールは、体内に置き忘れることを未然に防止するために、Ｘ線造影糸を織り込んだガーゼ本体を折り畳んで丸めて成形されることが多い。そして、このように成形されたガーゼボールは、ガーゼ本体に織り込まれているＸ線造影糸自体が一般に用いられるガーゼ糸と比較して太くて柔軟性が小さくかつ硬いため、ガーゼボールの表面に硬い凸部が形成され、この凸部が体内組織に接触してこの体内組織を損傷させてしまうおそれがある。
【０００４】
そこで、このような問題を解決するために、Ｘ線造影糸をガーゼボール表面に露出させないガーゼボールおよびその製造方法が知られている。この製造方法では、緯糸方向あるいは経糸方向に沿って配設されたＸ線造影糸を有する略正方形状のガーゼ本体を、その対角線を折り目として三角形状に折り畳み、この対角線近傍を丸めるように折り畳んで折り畳み部を形成し、この折り畳み部の両側部を近づけて絡み合わせ、Ｘ線造影糸が内側となるように筒状に丸めた後、ガーゼ本体の他の部分を折り畳み部の絡み合わせ部を巻き込むようにボール状に折り畳むことで、折り畳み部が折り畳み帯状凸部となるガーゼボールが完成される（例えば、特許文献１参照。）。
【特許文献１】特開２００３−１５９２７１号公報（第２−３頁、図１−８）
【発明の開示】
【発明が解決しようとする課題】
【０００５】
上述の特許文献１記載のガーゼボールでは、Ｘ線造影糸が外部に露出しないことにより、Ｘ線造影糸が直に体内組織と接触する不具合は解消される。
【０００６】
一方で、Ｘ線造影糸が位置している部分は、Ｘ線造影糸がガーゼ糸によって覆い隠されていても、段差あるいは硬い部分が多少残ってしまうため、体内組織に接触する可能性が高い部分にＸ線造影糸が位置していることは、基本的に望ましくない。
【０００７】
しかしながら、上述の特許文献１記載のガーゼボールにおいては、Ｘ線造影糸が縦方向（上下方向）に位置するため、折り畳み帯状凸部の近傍をピンセットなどで挟んで摘み、ガーゼボール本体の表面を体内組織などに接触させる場合、Ｘ線造影糸による段差および硬い部分を避けて体内組織に接触できる部分は、このＸ線造影糸にて両側に分断されてしまい、必ずしも広くない。この特許文献１記載のガーゼボールでのＸ線造影糸の傾きは、ガーゼ本体に織り込まれているＸ線造影糸のガーゼ本体の端部からの位置によって変わるが、基本的に縦方向に位置することには変わりがない。
【０００８】
これは、特許文献１記載のガーゼボールにおいて、ガーゼ本体を最初に折り畳む向きに関係がある。すなわち、ガーゼ本体の対角線に沿って最初に折り畳むので、緯糸方向あるいは経糸方向に沿って配設されたＸ線造影糸では、この対角線に対して斜め方向となり、この対角線に折り畳み帯状凸部となる折り畳み部を形成することから、この対角線に対するＸ線造影糸の向きが完成時のガーゼボールに位置するＸ線造影糸の傾きとなるためである。
【０００９】
本発明は、このような点に鑑みなされたもので、体内組織に損傷を与えることなく使用できる部分を広く確保できるガーゼボールおよびその製造方法を提供することを目的とする。
【課題を解決するための手段】
【００１０】
請求項１記載のガーゼボールは、複数の緯糸と複数の経糸とが交互に交差するとともに、これら緯糸と縦糸とのいずれか一方とＸ線造影糸とが交互に交差して平織りされたガーゼ本体をボール状に折り畳んで成形したガーゼボールであって、ボール状のガーゼボール本体と、前記ガーゼ本体の折り畳みにより前記ガーゼボール本体の上部に沿って形成された折り畳み帯状凸部とを具備し、前記Ｘ線造影糸は、両端部が略等しい高さに配設され、正面視で前記ガーゼボール本体の横方向に配設され、かつ、仮想多等分線により上下に略多等分された前記ガーゼボール本体の最上方部分に配設されているものである。
【００１１】
請求項２記載のガーゼボールは、請求項１記載のガーゼボールにおいて、Ｘ線造影糸は、仮想二等分線により上下に略二等分されたガーゼボール本体の上方部分に配設されているものである。
【００１２】
請求項３記載のガーゼボールは、請求項１記載のガーゼボールにおいて、Ｘ線造影糸は、仮想三等分線により上下に略三等分されたガーゼボール本体の最上方部分に配設されているものである。
【００１３】
請求項４記載のガーゼボールは、請求項１ないし３いずれか一記載のガーゼボールにおいて、Ｘ線造影糸は、外部に露出せずにガーゼボール本体の内部に収容されているものである。
【００１４】
請求項５記載のガーゼボールは、請求項１ないし４いずれか一記載のガーゼボールにおいて、Ｘ線造影糸は、折り畳み帯状凸部に配設されているものである。
【００１５】
請求項６記載のガーゼボールの製造方法は、複数の緯糸と複数の経糸とが交互に交差するとともに、これら緯糸と縦糸とのいずれか一方とＸ線造影糸とが交互に交差して平織りされた四角形状のガーゼ本体をボール状に折り畳んで成形されたボール状のガーゼボール本体と、前記ガーゼ本体の折り畳みにより前記ガーゼボール本体の上部に沿って形成された折り畳み帯状凸部とを具備し、前記Ｘ線造影糸は、両端部が略等しい高さに配設され、正面視で前記ガーゼボール本体の横方向に配設され、かつ、仮想多等分線により上下に略多等分された前記ガーゼボール本体の最上方部分に配設されているガーゼボールの製造方法であって、前記ガーゼ本体を、前記Ｘ線造影糸に平行な中心線に沿って二つ折りして長方形状とする二つ折り工程と、この二つ折りしたガーゼ本体の前記中心線側の部分を複数の山折り線により丸めるように順次折り畳むことにより折り畳み部を有する帯状とする折り畳み工程と、この帯状としたガーゼ本体を、前記Ｘ線造影糸が位置している面を上向きとして両端を絡めて縛ることにより、絡み合わせ部、および、この絡み合わせ部からそれぞれ突出する突出端部を形成する縛り工程と、前記絡み合わせ部の袋状の中央部に、この絡み合わせ部とともに前記各突出端部をそれぞれ繰り込む繰り込み工程と、前記中央部を包み込むように前記折り畳み部を捲り返すことによりガーゼボール本体の外面部分を露出させ、さらに前記折り畳み部をＸ線造影糸の近傍まで折り返して折り畳み帯状凸部とする捲り返し工程とを有しているものである。
【００１６】
請求項７記載のガーゼボールの製造方法は、請求項６記載のガーゼボールの製造方法であって、前記Ｘ線造影糸を、仮想三等分線により上下に略三等分された前記ガーゼボール本体の最上方部分と前記折り畳み帯状凸部とのいずれか一方に配設するものである。
【発明の効果】
【００１７】
請求項１記載の発明によれば、ガーゼ本体の緯糸方向と経糸方向とのいずれか一方に沿って配設されたＸ線造影糸を、折り畳み帯状凸部が上部に沿って配設され仮想多等分線により上下に略多等分されたボール状のガーゼボール本体の最上方部分に、両端部が略等しい高さで、かつ、正面視で前記ガーゼボール本体の横方向に配設することで、ガーゼボール本体のＸ線造影糸の影響を受ける硬い部分などが折り畳み帯状凸部の近傍に位置し、ガーゼボール本体の体内組織に損傷を与えることなく使用できる部分を広く確保できる。
【００１８】
請求項２記載の発明によれば、Ｘ線造影糸を、仮想二等分線により上下に略二等分されたガーゼボール本体の上方部分に配設することで、Ｘ線造影糸の長さを充分に確保できる。
【００１９】
請求項３記載の発明によれば、Ｘ線造影糸を、仮想三等分線により上下に略三等分されたガーゼボール本体の最上方部分に配設することで、ガーゼボール本体の体内組織に損傷を与えることなく使用できる部分を、より広く確保できる。
【００２０】
請求項４記載の発明によれば、Ｘ線造影糸を、外部に露出させずにガーゼボール本体の内部に収容することで、Ｘ線造影糸が配設されている部分のガーゼボール本体の段差を抑制し、仮にＸ線造影糸が配設されている部分のガーゼボール本体の表面が体内組織に接触した場合でも、その損傷を抑制できる。
【００２１】
請求項５記載の発明によれば、Ｘ線造影糸を、折り畳み帯状凸部に配設することで、Ｘ線造影糸を体内組織と最も接触し難い位置に配設できる。
【００２２】
請求項６記載の発明によれば、ガーゼ本体を折り畳む方向をＸ線造影糸がガーゼ本体に織り込まれた方向に合わせることで、ガーゼボール本体の外部から見えるＸ線造影糸の両端部を略等しい高さに配設でき、Ｘ線造影糸をガーゼボール本体に対して横方向に配設できるため、ガーゼボール本体の体内組織に損傷を与えることなく使用できる部分をＸ線造影糸の下側に広く確保できる。
【００２３】
請求項７記載の発明によれば、Ｘ線造影糸を、仮想三等分線により上下に略三等分されたガーゼボール本体の最上方部分とガーゼボール本体の上部に沿って設けられた折り畳み帯状凸部とのいずれか一方に配設することで、ガーゼボール本体のＸ線造影糸の影響を受ける硬い部分などが折り畳み帯状凸部の近傍、あるいは折り畳み帯状凸部自体に位置し、ガーゼボール本体の体内組織に損傷を与えることなく使用できる部分を広く確保できる。
【発明を実施するための最良の形態】
【００２４】
以下、本発明の一関連技術のガーゼボールの構成を図１ないし図３を参照して説明する。
【００２５】
図１ないし図３において、１はガーゼボールを示し、このガーゼボール１は、ボール状のガーゼボール本体２と、このガーゼボール本体２の上部に沿って配設された折り畳み帯状凸部３とを備えている。そして、このガーゼボール１は、緯糸と経糸とが交互に交差するとともに、緯糸と縦糸とのいずれか一方（本関連技術では経糸）と交互に交差してＸ線造影糸５が平織りされた略正方形状のガーゼ本体６を折り畳んで形成されている。
【００２６】
ガーゼボール本体２は、例えば外科手術などの手術用や医療用として、被術者に接触させて血液あるいは体液などを吸収させるために使用される部分であり、小さくまとめたガーゼ本体６を折り畳んで丸めて成形されている。
【００２７】
折り畳み帯状凸部３は、体内組織との接触を避けガーゼボール本体２のみを体内組織との接触面として使用するために、使用者がピンセットなどにより挟んで摘む部分であり、ガーゼ本体６を折り畳んで形成され、ガーゼボール本体２を仮想多等分線としての仮想二等分線DL1により上方部分11と下方部分12と上下に略二等分した状態で、両側部13，14および中央部15のそれぞれが上方部分11内に位置して下方部分12には位置しないように形成されている。
【００２８】
ガーゼ本体６の緯糸および経糸のそれぞれは、例えば木綿や、レーヨンなどのセルロース繊維あるいはセルロース繊維とポリプロピレンあるいはポリエステルなどのプラスチック繊維との混合体などの素材で直線状に紡がれた糸状物に形成されている。
【００２９】
Ｘ線造影糸５は、例えばＸ線造影剤とプラスチック樹脂とにより連続した一本の糸状に形成された糸状物であるとともに、レントゲン撮影時に確認されやすいように、ある程度の太さを有し、ガーゼ本体６の長手方向に沿って配設され、緯糸と上下に交互に交差している。
【００３０】
ここで、Ｘ線造影剤としては、硫酸バリウムなどが素材として用いられている。また、プラスチック樹脂としては、ポリ塩化ビニル、ポリプロピレン、ポリエステル、ポリエチレン、ポリスチレンあるいはシリコーンなどが用いられている。
【００３１】
このため、Ｘ線造影糸５は、ガーゼ本体６の緯糸および経糸よりも太く、柔軟性がなく硬く形成され、また、これら緯糸および経糸と異なる色などとなっており、ガーゼ本体６において、このガーゼ本体６の一辺から所定の距離L1分、内側に入った位置にこの一辺と略平行に配設されている。
【００３２】
また、このＸ線造影糸５は、ガーゼボール本体２の外部から見て、例えば一端側が折り畳み帯状凸部３の側部13の近傍に位置し、他端側が中央部15と側部14との略中間部に位置するように配設されている。すなわち、このＸ線造影糸５は、前記上方部分11に位置し、図１に示す左右方向に長手状となっている。
【００３３】
したがって、ガーゼボール本体２は、本関連技術では、図２に示す右半分と左下半分とが、被術者の体内組織と安全に接触できる部分である。
【００３４】
次に、上記一関連技術の作用を説明する。
【００３５】
ガーゼボール１を成形する際には、ガーゼ本体６を適宜折り畳んで丸め、ボール状のガーゼボール本体２と、このガーゼボール本体２の上側に沿って折り畳み帯状凸部３とを形成する。
【００３６】
そして、使用する際には、折り畳み帯状凸部３をピンセットなどで挟み、ガーゼボール本体２側を被術者の体内組織などに接触させ、組織を剥離したり、血液あるいは体液などを吸収したりする。
【００３７】
このとき、折り畳み帯状凸部３の近傍にＸ線造影糸５を配設して仮想二等分線DL1よりも下側にＸ線造影糸５が存在しないことにより、Ｘ線造影糸５が存在していない部分、換言すれば体内組織と安全に接触できる部分の面積を広く確保できる。
【００３８】
すなわち、Ｘ線造影糸５は、緯糸および経糸に比べて太く柔軟性がなくて硬いため、Ｘ線造影糸５が被術者の体内組織に接触すると、この体内組織を損傷させてしまうおそれがあるので、ガーゼボール１のＸ線造影糸５を、予め体内組織と接触するおそれが少ない位置、すなわち折り畳み帯状凸部３の近傍である上方部分11に配設することにより、体内組織に損傷を与える心配を抑制してガーゼボール１により組織の剥離、さらには血液や体液の吸収が可能になる。
【００３９】
この結果、使用者がＸ線造影糸５の位置を使用中に過剰に注意する必要がなくなり、かつ、体内組織と安全に接触できるガーゼボール本体２の部分の面積の増加に伴いガーゼボール１の１つ当たりの血液や体液の吸収量が増加するため、使用するガーゼボール１の個数、あるいは、手術中にガーゼボール１を交換する回数などを減らすことができ、手術の作業性が向上する。
【００４０】
また、仮想多等分線を仮想二等分線DL1とすることにより、ガーゼボール１の外部から見えるＸ線造影糸５の長さを確保でき、ガーゼボール１の被術者の体内への置き忘れを、より確実に防止できる。
【００４１】
さらに、Ｘ線造影糸５をガーゼボール本体２の外部に露出させることで、使用者がＸ線造影糸５を容易に視認できる。
【００４２】
次に、第１の実施の形態を図４および図５を参照して説明する。なお、上記一関連技術と同様の構成および作用については、同一符号を付してその説明を省略する。
【００４３】
この第１の実施の形態のガーゼボール１は、仮想多等分線としての仮想三等分線DL2，DL2によりガーゼボール本体２を上方部分21と、中間部分22と、下方部分23とに上下に略三等分した状態で、折り畳み帯状凸部３の両側部13，14が中間部分22に位置するとともに、折り畳み帯状凸部３の中央部15とＸ線造影糸５とが上方部分21に位置しているものである。
【００４４】
そして、このように構成することで、Ｘ線造影糸５が折り畳み帯状凸部３にさらに近い部分に位置するため、体内組織に損傷を与えることなく目的とする血液や体液の吸収に使用できる部分をさらに広い範囲とすることができる。
【００４５】
なお、上記第１の実施の形態において、Ｘ線造影糸５は、仮想四等分線以上の仮想多等分線にて分割されたガーゼボール本体２の最上方部分に配設することも可能である。この場合には、仮想多等分線が多くなると、ガーゼボール本体２の体内組織に損傷を与えることなく目的とする血液や体液の吸収に使用できる部分の広さが大きくなる一方で、ガーゼボール本体２の外部から見えるＸ線造影糸５の長さが短くなるため、必要なＸ線造影糸５の長さと、ガーゼボール本体２の体内組織に損傷を与えることなく目的とする血液や体液の吸収に使用できる部分の広さとのバランスを考慮して仮想多等分線を適宜設定する。
【００４６】
次に、第２の実施の形態を図６を参照して説明する。なお、上記第１の実施の形態と同様の構成および作用については、同一符号を付してその説明を省略する。
【００４７】
この第２の実施の形態のガーゼボール１は、Ｘ線造影糸５をガーゼボール本体２の外部に露出させずに内部に収容するように構成したものである。
【００４８】
また、このガーゼボール１では、Ｘ線造影糸５の両端部が、それぞれ略等しい高さ位置に位置している。
【００４９】
次に、上記第２の実施の形態のガーゼボールの製造方法を図７ないし図１４を参照して説明する。
【００５０】
まず、図７に示すように、四角形状のガーゼ本体６を、Ｘ線造影糸５に平行な中心線である山折り線31に沿って二つ折りとし、図８に示す長方形状とする（二つ折り工程）。
【００５１】
次いで、図９に示すように、ガーゼ本体６の山折り線31側の部分を複数の山折り線32によりガーゼ本体６の裏側へと丸めるように順次折り畳むことで、図１０(a)および図１０(b)に示すように、ガーゼ本体６を、裏側に折り畳み部33を形成した帯状とする（折り畳み工程）。
【００５２】
さらに、このガーゼ本体６を、Ｘ線造影糸５がある面を上向きとして左右両端を図１１に示すように絡め合わせて縛り、絡み合わせ部35と、この絡み合わせ部35からそれぞれ突出する突出端部36，37とを形成する（縛り工程）。
【００５３】
この後、図１２および図１３に示すように、絡み合わせ部35の袋状の中央部38内に、この絡み合わせ部35とともに突出端部36，37を繰り込む（繰り込み工程）。このとき、突出端部36，37は、Ｘ線造影糸５が見えなくなるように小さくまとめ、Ｘ線造影糸５がガーゼボール本体２の予期しない位置に現れることを防止するようにすることが好ましい。
【００５４】
そして、図１４に示すように、中央部38を包み込みつつ折り畳み部33を捲り返すことでガーゼボール本体２の外面部分が現れ、さらに折り畳み部33を想像線に示すようにＸ線造影糸５の近傍まで捲り返して折り畳み帯状凸部３とし（捲り返し工程）、図５に示すように、Ｘ線造影糸５が横方向に沿い、両端部の高さ位置が略等しく、その中間部の位置が両端部よりも低いガーゼボール１を完成する。
【００５５】
すなわち、ガーゼボール１を正面から見てＸ線造影糸５が横方向に位置していれば、それよりも下方にはＸ線造影糸が存在しないため、ガーゼボール本体２の体内組織に接触可能な部分が広くなるから、上記第２の実施の形態では、ガーゼ本体６を折り畳む方向をＸ線造影糸５がガーゼ本体６に織り込まれた方向に合わせることで、Ｘ線造影糸５の両端部を略等しい高さに配設し、ガーゼボール１を正面から見て、Ｘ線造影糸５をガーゼボール本体２の横方向に配設して、ガーゼボール本体２のＸ線造影糸５よりも下側にて体内組織に接触可能な部分を広く形成できる。
【００５６】
また、Ｘ線造影糸５がガーゼボール本体２の外部に露出している場合には、被術者の体内組織と接触する可能性が低い位置に配設されている場合でも、万一Ｘ線造影糸５が直に体内組織に接触した場合には、体内組織を損傷するおそれがあるので、上記のようにＸ線造影糸５を外部に露出させずにガーゼボール本体２の内部に収容することで、Ｘ線造影糸５が位置する部分のガーゼボール本体２の段差を抑制し、仮にＸ線造影糸５が位置する部分のガーゼボール本体２表面が体内組織に接触した場合でも、その損傷を抑制できる。
【００５７】
なお、上記第２の実施の形態のガーゼボールの製造方法において、折り畳み工程にて山折り線31側の部分を複数の山折り線32によりガーゼ本体６の表側へと丸めるように順次折り畳み、縛り工程にてＸ線造影糸５がある面を下向きとして左右両端部を絡め合わせて縛ることで、第１の実施の形態のガーゼボール１のようにＸ線造影糸５がガーゼボール本体２の外部に露出するものにもそれぞれ対応して製造できる。
【００５８】
また、Ｘ線造影糸５の両端部の位置を略等しい高さにすれば、図１５に示すように、その中間部の位置が両端部よりも高くなっていてもよい。このようなＸ線造影糸５の中間部の高さは、ガーゼボール１の製造の際に、捲り返し工程での折り畳み部33の捲り返し強度によって違いが生じるものであり、製造手順が異なって生じるものではない。
【００５９】
次に、第３の実施の形態のガーゼボールの製造方法を図１６および図１７を参照して説明する。なお、上記各実施の形態と同様の構成および作用については、同一符号を付してその説明を省略する。
【００６０】
この第３の実施の形態のガーゼボール１は、Ｘ線造影糸５を、仮想三等分線DL2，DL2によるガーゼボール本体２の上方部分21、あるいは、折り畳み帯状凸部３のいずれかに配設するものであり、図１６は、Ｘ線造影糸５を折り畳み帯状凸部３に配設した構成を示している。
【００６１】
このように、Ｘ線造影糸５の左右両端部の高さが、ガーゼボール１を正面から見て異なるように配設される場合には、図１４に示すように、ガーゼ本体６に織り込まれるＸ線造影糸５の位置を適切に設定することで、従来のガーゼボールの製造方法を用いてもＸ線造影糸５をガーゼボール本体２の上側に位置させることが可能であるものの、上方部分21、あるいは折り畳み帯状凸部３の内部にＸ線造影糸５を配設するためには、Ｘ線造影糸５をガーゼボール本体２に対して横方向に配設しなければ、成形が容易でない。
【００６２】
ガーゼ本体６にＸ線造影糸５を配設する位置に対応するガーゼボール１におけるＸ線造影糸５の位置は、ガーゼ本体６の一辺からＸ線造影糸５までの距離をL1、ガーゼ本体６の一辺の長さをL2とした場合に、L1/L2＝２０％〜４５％の範囲で異なる位置としたガーゼ本体を用いて上記第２の実施の形態のガーゼボールの製造方法と同様にガーゼボール１を成形して調べた下記の表１に示される。
【００６３】
【表１】
0004667181.tif 000002
【００６４】
すなわち、L1/L2＝４５％の位置にＸ線造影糸５を織り込んだガーゼ本体６を用いると、Ｘ線造影糸５が、ガーゼボール１において折り畳み帯状凸部３に位置する。また、L1/L2＝２５％〜４０％の位置にＸ線造影糸５を織り込んだガーゼ本体６を用いると、Ｘ線造影糸５が、仮想三等分線DL2により分割した状態でのガーゼボール本体２の最も折り畳み帯状凸部３側、すなわち上方部分21に位置する。さらに、L1/L2＝２０％の位置にＸ線造影糸５を織り込んだガーゼ本体６を用いると、Ｘ線造影糸５が、仮想二等分線DL1（図１）により分割した状態でのガーゼボール本体２の最も折り畳み帯状凸部３側、すなわち上方部分11（図１）に位置する。
【００６５】
この結果、Ｘ線造影糸５を上方部分21、あるいは折り畳み帯状凸部３に配設するためには、Ｘ線造影糸５を、L1/L2＝２５〜４５％の範囲に織り込んだガーゼ本体６を用いて製造する必要がある。
【００６６】
そして、このようにＸ線造影糸５を折り畳み帯状凸部３、あるいは上方部分21に配設することで、Ｘ線造影糸５が被術者の体内組織と、より接触し難くなり、体内組織に損傷を与えることなく目的とする血液や体液の吸収に使用できる部分をより広い範囲とすることができ、手術の作業性をより向上できる。
【００６７】
特に、折り畳み帯状凸部３の内部にＸ線造影糸５を配設することで、Ｘ線造影糸５が被術者の体内組織と最も接触し難い位置に配設される。
【００６８】
なお、ガーゼボールの製造方法としては、上記各実施の形態に示す製造方法以外にも任意に適用できる。
【図面の簡単な説明】
【００６９】
【図１】本発明の一関連技術のガーゼボールを示す正面図である。
【図２】同上ガーゼボールを示す側面図である。
【図３】同上ガーゼボールのガーゼ本体を示す説明平面図である。
【図４】本発明の第１の実施の形態のガーゼボールを示す正面図である。
【図５】同上ガーゼボールを示す側面図である。
【図６】本発明の第２の実施の形態のガーゼボールを示す正面図である。
【図７】同上ガーゼボールの製造方法のガーゼ本体を示す説明平面図である。
【図８】同上ガーゼボールの製造方法の二つ折り工程を示す説明平面図である。
【図９】同上ガーゼボールの製造方法の折り畳み工程を示す説明平面図である。
【図１０】(a)は同上ガーゼボールの製造方法の折り畳まれたガーゼ本体の表側を示す平面図、(b)は同上ガーゼボールの製造方法の折り畳まれたガーゼ本体の裏側を示す平面図である。
【図１１】同上ガーゼボールの製造方法の縛り工程を示す説明斜視図である。
【図１２】同上ガーゼボールの製造方法の繰り込み工程の一部を示す説明斜視図である。
【図１３】同上ガーゼボールの繰り込み工程の他の一部を示す説明斜視図である。
【図１４】同上製造方法の捲り返し工程を示す説明斜視図である。
【図１５】同上ガーゼボールの他の実施の形態を示す正面図である。
【図１６】本発明の第３の実施の形態のガーゼボールの製造方法を示す正面図である。
【図１７】同上ガーゼボールの製造方法のガーゼ本体を示す説明平面図である。
【符号の説明】
【００７０】
１    ガーゼボール
２    ガーゼボール本体
３    折り畳み帯状凸部
５    Ｘ線造影糸
６    ガーゼ本体
31 中心線である山折り線
32 山折り線
33 折り畳み部
35 絡み合わせ部
36，37 突出端部
38 中央部
DL1   仮想多等分線としての仮想二等分線
DL2   仮想多等分線としての仮想三等分線
【図１】
0004667181.tif 000003
【図２】
0004667181.tif 000004
【図３】
0004667181.tif 000005
【図４】
0004667181.tif 000006
【図５】
0004667181.tif 000007
【図６】
0004667181.tif 000008
【図７】
0004667181.tif 000009
【図８】
0004667181.tif 000010
【図９】
0004667181.tif 000011
【図１０】
0004667181.tif 000012
【図１１】
0004667181.tif 000013
【図１２】
0004667181.tif 000014
【図１３】
0004667181.tif 000015
【図１４】
0004667181.tif 000016
【図１５】
0004667181.tif 000017
【図１６】
0004667181.tif 000018
【図１７】
0004667181.tif 000019